(57)【要約】【課題】  ユーザが所望とする緊急通報を適切に実施する。【解決手段】  車載無線通信機１は、緊急通報信号を無線通信部１０から無線通信網へ送信する緊急通報動作を行っている途中で車載バッテリ１２から車載無線通信機１へ流れ込まれた電流が規定値に到達して割込が発生した場合であっても、緊急通報動作を正常に終了するまでは電力供給部４から無線通信部１０への動作電力の供給停止を保留し、緊急通報動作を正常に終了した後に電力供給部４から無線通信部１０への動作電力の供給を停止する。緊急通報動作を正常に終了するまでは無線通信部１０の動作電力を確保することにより、緊急通報動作を正常に終了することができる。【選択図】  図１
2006264603.tif 000002
【特許請求の範囲】
【請求項１】
車載バッテリのバッテリ電力を無線通信手段へ動作電力として供給する電力供給手段と、
車載バッテリが放電状態であるときに車載バッテリから車載無線通信機へ流れ込まれた電流を積算して電流積算値を算出し、算出された電流積算値が規定値に到達したときに割込を発生させる電流積算手段と、
前記電力供給手段から前記無線通信手段へ動作電力が供給されている状態で緊急通報動作の開始トリガが発生した場合に緊急通報信号を前記無線通信手段から無線通信網へ送信させる緊急通報動作を開始すると共に前記電流積算手段にて割込が発生した場合に前記電力供給手段から前記無線通信手段への動作電力の供給を停止させることが可能な制御手段とを備え、
前記制御手段は、緊急通報動作を行っている途中で前記電流積算手段にて割込が発生した場合には、緊急通報動作を正常に終了するまでは前記電力供給手段から前記無線通信手段への動作電力の供給停止を保留し、緊急通報動作を正常に終了した後に前記電力供給手段から前記無線通信手段への動作電力の供給を停止させることを特徴とする車載無線通信機。
【請求項２】
請求項１に記載した車載無線通信機において、
前記制御手段は、緊急通報動作を行っている途中で前記電流積算手段にて割込が発生したことに応じて前記電力供給手段から前記無線通信手段への動作電力の供給停止を保留しているときにリセットや電源瞬断が発生して緊急通報動作を再開した場合にも、緊急通報動作を正常に終了するまでは前記電力供給手段から前記無線通信手段への動作電力の供給停止を保留し、緊急通報動作を正常に終了した後に前記電力供給手段から前記無線通信手段への動作電力の供給を停止させることを特徴とする車載無線通信機。
【発明の詳細な説明】
【技術分野】
【０００１】
本発明は、電力供給手段から無線通信手段へ動作電力が供給されている状態で緊急通報動作の開始トリガが発生した場合に緊急通報信号を前記無線通信手段から無線通信網へ送信させる緊急通報動作を開始することが可能な制御手段を備えてなる車載無線通信機に関する。
【発明の開示】
【発明が解決しようとする課題】
【０００２】
車両に搭載される車載無線通信機の一つとして、例えば盗難検出ＥＣＵからの盗難の危険性がある旨を示す盗難検出信号がオンされると、盗難通報信号を無線通信網へ送信する機能を備えたものがある。この種の盗難防止機能を有する車載無線通信機においては、盗難通報信号を常時送信可能とするために動作電力を無線通信部に常時供給させておく構成が必要であるが、その一方で、動作電力を無線通信部に常時供給させておく構成では、例えば駐車時間が長くなって車載バッテリの放電時間が長くなってしまうと、車載バッテリが上がってしまう（車載バッテリのバッテリ電力が枯渇してしまう）という危険性がある。
【０００３】
そこで、出願人は、上記した不具合を解決することを目的として、特願２００４−３７３４８５を出願した。このものは、車載バッテリから車載無線通信機へ流れ込まれた電流を積算して電流積算値を算出し、算出された電流積算値が規定値に到達したときに割込を発生させて無線通信部への動作電力の供給を停止させることにより、車載バッテリが上がってしまうことを未然に回避するものである。
【０００４】
しかしながら、盗難通報信号を無線通信部から無線通信網へ送信する盗難通報動作を行っている途中で電流積算値が規定値に到達する場合があり、そのような場合には、上記した特願２００４−３７３４８５のものでは、盗難通報動作を行っている途中であるのにも拘らず、無線通信部への動作電力の供給が停止されてしまうことになり、その結果、盗難通報動作を正常に終了することができず、ユーザが所望とする盗難通報を適切に実施することができないという問題がある。
【０００５】
本発明は、上記した事情に鑑みてなされたものであり、その目的は、例えば盗難通報信号を無線通信手段から無線通信網へ送信する盗難通報動作などの緊急通報動作を正常に終了することができ、ユーザが所望とする緊急通報を適切に実施することができる車載無線通信機を提供することにある。
【課題を解決するための手段】
【０００６】
請求項１に記載した発明によれば、制御手段は、電力供給手段から無線通信手段へ動作電力が供給されている状態で緊急通報動作の開始トリガが発生すると、緊急通報信号を無線通信手段から無線通信網へ送信させる緊急通報動作を開始する。一方、電流積算手段は、車載バッテリが放電状態であるときに車載バッテリから車載無線通信機へ流れ込まれた電流を積算して電流積算値を算出し、算出された電流積算値が規定値に到達すると、割込を発生させる。そして、制御手段は、緊急通報動作を行っている途中で電流積算手段にて割込が発生すると、緊急通報動作を正常に終了するまでは電力供給手段から無線通信手段への動作電力の供給停止を保留し、緊急通報動作を正常に終了した後に電力供給手段から無線通信手段への動作電力の供給を停止させる。
【０００７】
これにより、緊急通報信号を無線通信手段から無線通信網へ送信する緊急通報動作を行っている途中で車載バッテリから車載無線通信機へ流れ込まれた電流が規定値に到達して割込が発生した場合であっても、緊急通報動作を正常に終了するまでは電力供給手段から無線通信手段への動作電力の供給停止を保留し、緊急通報動作を正常に終了した後に電力供給手段から無線通信手段への動作電力の供給を停止することになるので、電力供給手段から無線通信手段への動作電力の供給を直ぐには停止することがなく、緊急通報動作を正常に終了するまでは無線通信手段の動作電力を確保することにより、緊急通報動作を正常に終了することができ、ユーザが所望とする緊急通報を適切に実施することができる。
【０００８】
請求項２に記載した発明によれば、制御手段は、緊急通報動作を行っている途中で電流積算手段にて割込が発生したことに応じて電力供給手段から無線通信手段への動作電力の供給停止を保留しているときにリセットや電源瞬断が発生して緊急通報動作を再開した場合にも、緊急通報動作を正常に終了するまでは電力供給手段から無線通信手段への動作電力の供給停止を保留し、緊急通報動作を正常に終了した後に電力供給手段から無線通信手段への動作電力の供給を停止させる。
【０００９】
これにより、緊急通報動作を行っている途中で車載バッテリから車載無線通信機へ流れ込まれた電流が規定値に到達して割込が発生して電力供給手段から無線通信手段への動作電力の供給停止を保留しているときにリセットや電源瞬断が発生して緊急通報動作を再開した場合であっても、この場合にも、緊急通報動作を正常に終了するまでは電力供給手段から無線通信手段への動作電力の供給停止を保留し、緊急通報動作を正常に終了した後に電力供給手段から無線通信手段への動作電力の供給を停止することになるので、電力供給手段から無線通信手段への動作電力の供給を直ぐには停止することがなく、緊急通報動作を正常に終了するまでは無線通信手段の動作電力を確保することにより、緊急通報動作を正常に終了することができ、ユーザが所望とする緊急通報を適切に実施することができる。
【発明を実施するための最良の形態】
【００１０】
以下、本発明の一実施形態について、図面を参照して説明する。図１は、車載無線通信機の全体構成を機能ブロック図として示している。車載無線通信機１は、車両制御モジュール２及び無線通信モジュール３を備えて構成されている。車両制御モジュール２は、電力供給部４（本発明でいう電力供給手段）、電流検出部５、電流積算部６（本発明でいう電流積算手段）、アクセサリ（ＡＣＣ）信号監視部７及びウオッチドック（ＷＤ）８を備えて構成されている。一方、無線通信モジュール３は、制御部９（本発明でいう制御手段）、無線通信部１０（本発明でいう無線通信手段）及び不揮発性メモリ１１を備えて構成されている。
【００１１】
電力供給部４は、車載バッテリ１２から電流検出部５を介して供給されるバッテリ電力を制御部９及び無線通信部１０へ動作電力として供給する。制御部９は、電力供給部４から供給される動作電力に基づいて動作し、無線通信部１０の動作を制御する。具体的には、制御部９は、その動作の一つとして、盗難検出ＥＣＵからの盗難の危険性がある旨を示す盗難検出信号がオンされると、無線通信部１０から盗難通報信号を無線通信網へ送信させる盗難通報動作を行ったり、エアバック検出ＥＣＵからのエアバックが展開された旨を示すエアバック検出信号がオンされると、無線通信部１０からエアバック通報信号を無線通信網へ送信させるエアバック通報動作を行ったり、ヘルプスイッチからのユーザがヘルプスイッチを操作した旨を示すヘルプ検出信号がオンされると、無線通信部１０からヘルプ通報信号を無線通信網へ送信させるヘルプ通報動作を行ったりする。
【００１２】
この場合、盗難検出信号やエアバック検出信号やヘルプ検出信号がオンされることが本発明でいう緊急通報動作の開始トリガが発生したことである。また、盗難通報信号やエアバック通報信号やヘルプ通報信号が本発明でいう緊急通報信号であり、盗難通報動作やエアバック通報動作やヘルプ通報動作が本発明でいう緊急通報動作である。
【００１３】
電流検出部５は、車載バッテリ１２から電流が流れ込まれると、電流検出信号をオンする。電流積算部６は、イグニッション（ＩＧ）スイッチからのイグニッション信号がオフされたか否かを判定し、車載バッテリ１２が放電状態であるか否かを判定しており、車載バッテリ１２が放電状態であるときに電流検出部５からの電流検出信号がオンされると、車載バッテリ１２から電流検出部５へ流れ込まれた電流を車載無線通信機１の消費電流として積算して電流積算値を算出する。そして、電流積算部６は、その算出された電流積算値と予め規定されている規定値とを比較し、その算出された電流積算値が規定値に到達すると、割込信号をオンする。
【００１４】
制御部９は、電流積算部６からの割込信号がオンされると、電力供給制御信号をオフし、電力供給部４は、制御部９からの電力供給制御信号がオフされると、制御部９及び無線通信部１０への動作電力の供給を停止する。また、電流積算部６は、イグニッションスイッチからのイグニッション信号がオンされると、動作制御信号をオンし、電力供給部４は、電流積算部６からの動作制御信号がオンされると、制御部９及び無線通信部１０への動作電力の供給を開始する（再開する）。
【００１５】
アクセサリ信号監視部７は、アクセサリスイッチからのアクセサリ信号がオンされると、リセット信号をオンし、ウオッチドック８は、制御部９が正常動作している状態では制御部９から状態監視信号が定期的に入力され、制御部９から状態監視信号が定期的に入力されなくなると、リセット信号をオンする。制御部９（無線通信モジュール３）は、アクセサリ信号監視部７からのリセット信号やウオッチドック８からのリセット信号がオンされると、リセット動作を行う。
【００１６】
不揮発性メモリ１１は、緊急通報動作再開必要フラグ及び割込発生フラグを記憶する。制御部９は、自身が緊急通報動作を開始または再開した場合に緊急通報動作再開必要フラグを設定し（セットし）、また、電流積算部６にて割込が発生したときに自身が緊急通報動作を行っている途中である場合に限って割込発生フラグを設定する（セットする）。
【００１７】
次に、上記した構成の作用について、図２ないし図４を参照して説明する。ここで、図２及び図３は、制御部９が行う処理をフローチャートとして示している。尚、この場合は、初期状態（電流積算部６にて割込が発生していない状態）では、緊急通報動作再開必要フラグ及び割込発生フラグを設定していないことを前提として説明する。また、制御部９が行う緊急通報動作としては、車両が駐車状態であるときに盗難検出ＥＣＵが盗難の危険性がある旨を検出したことに応じて制御部９が盗難通報信号を無線通信部１０から無線通信網へ送信させる盗難通報動作を行う場合を一例として説明する。
【００１８】
車載無線通信機１において、制御部９は、電力供給部４から動作電力が供給されている状態（電源オン状態）では、緊急通報動作再開必要フラグを設定しているか否かを判定し、緊急通報動作を再開する必要があるか否かを判定する（ステップＳ１）。ここでは、制御部９は、初期状態では緊急通報動作再開必要フラグを設定していないので、緊急通報動作再開必要フラグを設定していない旨を検出すると（ステップＳ１にて「ＮＯ」）、割込発生フラグを設定しているか否かを判定し、電流積算部６にて割込が発生したときに自身が緊急通報動作を行っている途中であるか否かを判定する（ステップＳ２）。
【００１９】
ここでは、制御部９は、初期状態では割込発生フラグを設定していないので、割込発生フラグを設定していない旨を検出すると（ステップＳ２にて「ＮＯ」）、緊急通報動作の開始トリガが発生したか否かを判定する（ステップＳ３）。次いで、制御部９は、緊急通報動作の開始トリガが発生していない旨を検出すると（ステップＳ３にて「ＮＯ」）、難通報動作を行っている途中であるか否かを判定する（ステップＳ４）。そして、制御部２は、難通報動作を行っている途中でない旨を検出すると（ステップＳ４にて「ＮＯ」）、緊急通報動作再開必要フラグを設定していれば、緊急通報動作再開必要フラグの設定を消去し（ステップＳ５）、電流積算部６にて割込が発生したか否かを判定すると共に（ステップＳ６）、リセットまたは電源瞬断が発生したか否かを判定する（ステップＳ７）。
【００２０】
さて、本実施形態では、制御部９は、盗難検出ＥＣＵからの盗難検出信号がオンされた旨を検出し、盗難通報動作の開始トリガが発生した旨を検出すると（ステップＳ３にて「ＹＥＳ」）、盗難通報信号を無線通信部１０から無線通信網へ送信させる盗難通報動作を開始し（ステップＳ８）、緊急通報動作再開必要フラグを設定する（ステップＳ９）。
【００２１】
一方、電流積算部６は、上記したように、イグニッションスイッチがオフされている状態では、車載バッテリ１２から電流検出部５へ流れ込まれた電流を車載無線通信機１の消費電流として積算して電流積算値を算出しており、その算出された電流積算値が規定値に到達した旨を検出すると、割込信号をオンする。制御部９は、これに伴って、電流積算部６にて割込が発生した旨を検出すると（ステップＳ５にて「ＹＥＳ」）、盗難通報動作を行っている途中であるか否かを判定する（ステップＳ１０）。
【００２２】
ここで、制御部９は、盗難通報動作の開始トリガが発生することなく電流積算部６にて割込が発生した場合であれば、盗難通報動作を行っている途中でない旨を検出し（ステップＳ１０にて「ＮＯ」）、電力供給制御信号をオフし、電力供給部４から無線通信部１０への動作電力の供給を停止させ（ステップＳ１１）、一連の処理を終了する（電源オフする）。
【００２３】
これに対して、制御部９は、盗難通報動作の開始トリガが発生したことに応じて盗難通報動作を開始した後に電流積算部６にて割込が発生した場合であれば、盗難通報動作を行っている途中である旨を検出し（ステップＳ１０にて「ＹＥＳ」）、割込発生フラグを設定する（ステップＳ１２）。そして、制御部９は、盗難通報動作を正常に（予め規定されている最後の手順まで）終了したか否かを判定すると共に（ステップＳ１３）、リセットまたは電源瞬断が発生したか否かを判定する（ステップＳ１４）。
【００２４】
ここで、制御部９は、リセットまたは電源瞬断が発生することなく盗難通報動作を正常に終了した旨を検出すると（ステップＳ１３にて「ＹＥＳ」）、割込発生フラグの設定を消去し（ステップＳ１５）、緊急通報動作再開必要フラグの設定を消去した後に（ステップＳ１６）、上記したように、電力供給制御信号をオフし、電力供給部４から無線通信部１０への動作電力の供給を停止させ（ステップＳ１１）、一連の処理を終了する。
【００２５】
以上に説明した一連の処理により、車載無線通信機１では、盗難通報信号を無線通信部１０から無線通信網へ送信する盗難通報動作を行っている途中で車載バッテリ１２から車載無線通信機１へ流れ込まれた電流が規定値に到達して割込が発生した場合であっても、盗難通報動作を正常に終了するまでは電力供給部４から無線通信部１０への動作電力の供給停止を保留し、盗難通報動作を正常に終了した後に電力供給部４から無線通信部１０への動作電力の供給を停止することになる。
【００２６】
これに対して、制御部９は、盗難通報動作を正常に終了するよりも前に、ＡＣＣ信号監視部７からのリセット信号やウオッチドック８からのリセット信号がオンされてリセットが発生したり、電力供給部４からの動作電力の供給が瞬間的に切断されて電源瞬断が発生したりした旨を検出すると（ステップＳ１４にて「ＹＥＳ」）、上記したステップＳ１に戻る。
【００２７】
次いで、制御部９は、上記したステップＳ１に戻ると、緊急通報動作再開必要フラグを設定しているか否かを再度判定し、盗難通報動作を再開する必要があるか否かを再度判定する（ステップＳ１）。ここでは、制御部９は、緊急通報動作再開必要フラグを設定しているので、盗難通報動作を再開する必要がある旨を検出すると（ステップＳ１にて「ＹＥＳ」）、盗難通報動作を再開し（ステップＳ１７）、緊急通報動作再開必要フラグを設定し（ステップＳ１８）、割込発生フラグを設定しているか否かを再度判定する（ステップＳ２）。
【００２８】
ここでは、制御部９は、割込発生フラグを設定しているので、割込発生フラグを設定している旨を検出すると（ステップＳ２にて「ＹＥＳ」）、割込発生フラグの設定を消去し（ステップＳ１９）、上記したステップＳ６，Ｓ７に戻り、上記したステップＳ６，Ｓ７以降の処理を繰返して実行する。
【００２９】
以上に説明した一連の処理により、車載無線通信機１では、盗難通報動作を行っている途中で車載バッテリ１２から車載無線通信機１へ流れ込まれた電流が規定値に到達して割込が発生して（図４中「ｔ１」参照）無線通信部１０への動作電力の供給停止を保留しているときにリセットや電源瞬断が発生して盗難通報動作を再開した場合であっても（図４中「ｔ２」参照）、この場合も、盗難通報動作を正常に終了するまでは電力供給部４から無線通信部１０への動作電力の供給停止を保留し、盗難通報動作を正常に終了した後に電力供給部４から無線通信部１０への動作電力の供給を停止することになる（図４中「ｔ３」参照）。
【００３０】
ところで、以上は、車両が駐車状態であるときに盗難検出ＥＣＵが盗難の危険性がある旨を検出したことに応じて制御部９が盗難通報信号を無線通信部１０から無線通信網へ送信する盗難通報動作を行う場合を説明したものであるが、例えば車両事故が発生して車載バッテリ１２が衝撃を受けて外れたことによりイグニッション信号がオフされた状態でエアバック検出ＥＣＵがエアバックを展開させたりユーザがヘルプスイッチを操作したりした場合も、上記した処理と同様の処理を行うことになる。
【００３１】
すなわち、車載無線通信機１では、エアバック通報信号やヘルプ通報信号を無線通信部１０から無線通信網へ送信するエアバック通報動作やヘルプ通報動作を行っている途中で車載バッテリ１２から車載無線通信機１へ流れ込まれた電流が規定値に到達して割込が発生した場合であっても、エアバック通報動作やヘルプ通報動作を正常に終了するまでは電力供給部４から無線通信部１０への動作電力の供給停止を保留し、エアバック通報動作やヘルプ通報動作を正常に終了した後に電力供給部４から無線通信部１０への動作電力の供給を停止することになる。
【００３２】
また、車載無線通信機１では、エアバック通報動作やヘルプ通報動作を行っている途中で車載バッテリ１２から車載無線通信機１へ流れ込まれた電流が規定値に到達して割込が発生して電力供給部４から無線通信部１０への動作電力の供給停止を保留しているときにリセットや電源瞬断が発生してエアバック通報動作やヘルプ通報動作を再開した場合であっても、この場合も、エアバック通報動作やヘルプ通報動作を正常に終了するまでは電力供給部４から無線通信部１０への動作電力の供給停止を保留し、エアバック通報動作やヘルプ通報動作を正常に終了した後に電力供給部４から無線通信部１０への動作電力の供給を停止することになる。
【００３３】
以上に説明したように本実施形態によれば、車載無線通信機１において、緊急通報信号を無線通信部１０から無線通信網へ送信する緊急通報動作を行っている途中で車載バッテリ１２から車載無線通信機１へ流れ込まれた電流が規定値に到達して割込が発生した場合であっても、緊急通報動作を正常に終了するまでは電力供給部４から無線通信部１０への動作電力の供給停止を保留し、緊急通報動作を正常に終了した後に電力供給部４から無線通信部１０への動作電力の供給を停止するように構成したので、電力供給部４から無線通信部１０への動作電力の供給を直ぐには停止することがなく、緊急通報動作を正常に終了するまでは無線通信部１０の動作電力を確保することにより、緊急通報動作を正常に終了することができ、ユーザが所望とする緊急通報を適切に実施することができる。
【００３４】
また、車載無線通信機１において、緊急通報動作を行っている途中で車載バッテリ１２から車載無線通信機１へ流れ込まれた電流が規定値に到達して割込が発生して無線通信部１０への動作電力の供給停止を保留しているときにリセットや電源瞬断が発生して緊急通報動作を再開した場合であっても、この場合にも、緊急通報動作を正常に終了するまでは電力供給部４から無線通信部１０への動作電力の供給停止を保留し、緊急通報動作を正常に終了した後に電力供給部４から無線通信部１０への動作電力の供給を停止するように構成したので、電力供給部４から無線通信部１０への動作電力の供給を直ぐには停止することがなく、緊急通報動作を正常に終了するまでは無線通信部１０の動作電力を確保することにより、緊急通報動作を正常に終了することができ、ユーザが所望とする緊急通報を適切に実施することができる。
【００３５】
本発明は、上記した実施形態にのみ限定されるものではなく、以下のように変形または拡張することができる。
車載バッテリが放電状態であるか否かを判定する方法として、イグニッション信号の入力状態を判定すると共にアクセサリ信号の入力状態をも判定し、アクセサリ信号がオフ状態である場合に車載バッテリが放電状態である旨を検出するように構成しても良い。
【００３６】
緊急通報動作は、盗難の危険性がある旨を示す盗難通報信号やエアバックが展開された旨を示すエアバック通報信号やユーザがヘルプスイッチを操作した旨を示すヘルプ通報信号を無線通信網へ送信するものに限らず、他の緊急状態を示す緊急通報信号を無線通信網へ送信するものであっても良い。
【図面の簡単な説明】
【００３７】
【図１】本発明の一実施形態を示す機能ブロック図
【図２】フローチャート
【図３】図２相当図
【図４】電流積算値の推移を概略的に示す図
【符号の説明】
【００３８】
図面中、１は車載無線通信機、４は電力供給部（電力供給手段）、６は電流積算部（電流積算手段）、９は制御部（制御手段）、１０は無線通信部（無線通信手段）である。
【図１】
2006264603.tif 000003
【図２】
2006264603.tif 000004
【図３】
2006264603.tif 000005
【図４】
2006264603.tif 000006